(57)【要約】      （修正有） 【課題】額縁を壁面に対して平行且つ安定的に取り付けて飾ることを可能とし、さらに立体物を収納することができるとともに、収納された立体物を外部から鑑賞可能とするなど、多様な利用形態に資する額縁用裏蓋を提供する。【解決手段】枠状部（フレーム）１２と、枠状部１２の内側に設けられた入れ子（ライナー）と、入れ子によって枠状部１２に嵌め込まれた透明体１６と、枠状部１２とを備えた額縁の背面側に取り付けられる裏板とを具備する額縁５０に使用される額縁用裏蓋であって、裏板には、内部に空間を有する箱体が取り付けられ、箱体は立体物を収納可能な奥行寸法を有するとともに裏板には窓部５２が穿設され、箱体内部に収納された立体物を、窓部５２及び透明体１６を通して外部から視認可能であることを特徴とする。【選択図】図１２
0003179704.tif 000002
【実用新案登録請求の範囲】
【請求項１】
枠状部（フレーム）と、該枠状部に入れ子（ライナー）を介して、若しくは該枠状部に直接嵌め込まれた透光性材料からなる透明体とを具備する額縁のうち、前記枠状部の背面に脱着自在に設けられた裏板を含む額縁用裏蓋であって、
前記裏板には、壁面設置用の取付片が、長手方向及び短手方向のうち、少なくとも一方向側に設けられていることを特徴とする額縁用裏蓋。
【請求項２】
前記裏板には、壁面設置時に壁面に対して当接する突片が少なくとも一つ設けられていることを特徴とする請求項１に記載の額縁用裏蓋。
【請求項３】
前記裏板には、内部空間を有する収容部が設けられ、該収容部は立体物を収納可能な奥行寸法を有するとともに前記裏板には窓部が穿設され、前記収容部に収納された立体物を、該窓部及び前記透明体を通して外部から視認可能であることを特徴とする請求項１又は２に記載の額縁用裏蓋。
【請求項４】
前記裏板は、内部に空間を有する箱体を備えて構成され、該箱体は立体物を収納可能な奥行寸法を有するとともに前記裏板には窓部が穿設され、前記箱体内部に収納された立体物を、該窓部及び前記透明体を通して外部から視認可能であることを特徴とする請求項１〜３のうち、何れか１項に記載の額縁用裏蓋。
【請求項５】
前記裏板は、内部に空間を有する箱体を備えて構成され、該箱体は立体物を収納可能な奥行寸法を有するとともに前記裏板には窓部が穿設され、
該箱体の内部には、該箱体内部を仕切る収納空間部が設置されているとともに、該収納空間部は前記窓部と連通し、前記収納空間部に収納された立体物を、該窓部及び前記透明体を通して外部から視認可能であることを特徴とする請求項１〜３のうち、何れか１項に記載の額縁用裏蓋。
【請求項６】
前記枠状部と裏板との間には、台紙が介在され、該台紙には前記窓部と対応する位置に連通孔が形成され、前記収容部又は前記収納空間部に収納された立体物を、該窓部、連通孔及び前記透明体を通して外部から視認可能であることを特徴とする請求項３〜５のうち、何れか１項に記載の額縁用裏蓋。
【考案の詳細な説明】
【技術分野】
【０００１】
本考案は、額縁用裏蓋に係り、写真や絵画等を飾る際に使用される額縁に利用され、特に壁面に対して額縁を平行且つ安定的に取り付けて飾ることを可能とし、さらに立体物を収納可能な額縁用裏蓋に関するものである。
【背景技術】
【０００２】
従来、写真や絵画、印刷物などを展示する場合に使用される額縁は、外側の枠状部（フレーム）と、枠状部の内側に嵌め込まれている入れ子（ライナー）と、ガラスやアクリル製の透明体と、裏板等とを有して構成されている。
これらの枠状部並びに入れ子に対し、裏板と透明体との間に挟みこむようにして写真等を配置し、これによって写真等を外部から視認・鑑賞することができるようになっている。また、写真等と裏板との間には、マットなどの台紙が介在することも多い。
これらの額縁を飾る際は、額縁背面の枠状部の左右に取り付けられている金具に吊紐を通し、予め壁面にネジ等で取り付けたフックに、その吊紐を引っ掛けて、ぶら下げる形で行われることが多い。そして、鴨居付近など壁面に段差（凸部）があるときは、額縁の枠状部の下端を、その凸部によって支えて、安定化を図る飾り方も珍しくはない。
【０００３】
一方で、吊紐を使用して飾る場合は、写真や肖像画を正面から眺める際に、額縁の上方に見える吊紐が見苦しく、又、紐という素材の性質上、飾られた額縁の安定性に難があるため、壁面に接着剤等で完全に固定せずとも、飾り・取外しが容易なまま安定性を高めたいという要請もある。かような事情に鑑み、米国意匠登録ＵＳＤ５０６，１２５号公報記載の「ＰＩＣＴＵＲＥ  ＦＲＡＭＥ  ＨＡＮＧＥＲ」が存在するが、当該意匠は、吊紐を一切使わず、額縁等の背面と壁面それぞれに、横長で鉤状部を備えた金具を取り付け、互いの金具の鉤状部同士を噛ませることにより、額縁を壁面に取り付けるようになっている。
【０００４】
さらに一方で、写真等の他、その写真等に関連する品物を同時に収納しておきたいという要請がある。かような事情に鑑み、特開２０１１−１７２６０５号公報記載の「平箱形額墓」が提案されている。同公報記載の発明は、額縁部、並びに背面側に平箱を備え、この平箱内部に収納部を設け、各種の品物を収納可能に構成するとともに、額縁部の表面に文字・模様等が描かれている。
また、特開平８−１０１１７号公報には、額縁の縁材の一部をくり抜いて空間部分を形成し、当該空間部分を収納用として使用可能とする発明が開示されている。
さらに、意匠登録第１３５４４３０号公報には、「収納部付き額縁」が記載されており、同物品は額縁の裏板に書類の収納部（引き出し式）を設けたことを特徴としている。
【先行技術文献】
【特許文献】
【０００５】
【特許文献１】ＵＳ  Ｄ５０６，１２５号公報
【特許文献２】特開２０１１−１７２６０５号公報
【特許文献３】特開平８−１０１１７号公報
【特許文献４】意匠登録第１３５４４３０号公報
【考案の開示】
【考案が解決しようとする課題】
【０００６】
しかしながら、前述した特許文献１記載の「ＰＩＣＴＵＲＥ  ＦＲＡＭＥ  ＨＡＮＧＥＲ」における壁面側の取付金具は、水平を採るために水準器を設置可能となっているが、その分、壁面から突出する厚みが必要なため、額縁等を壁面に取り付けた場合に、額縁等が前後方向に傾く虞があった。このため、壁面を真っ直ぐに見たときに写真や肖像画を最適に眺められるよう額縁を壁面に対して平行に取り付けたいという要請には応えられない虞がある。
【０００７】
また、その他の文献記載の額縁等では、書類などの物品を収納するに留まり、外部から鑑賞することはできなかった。一般に写真等に関連する品物を、日常的に目にすることは、日常の生活に潤いと喜びをもたらすと考えられる。
さらに、平面的な写真等以外の立体的な品物を同時に収納し、且つ外部から鑑賞したいという希望も多く、かような要請に十分に応え得る製品は存在しないというのが実情である。
【０００８】
本考案はこのような事情に鑑みてなされたものであって、壁面に対して額縁を平行且つ安定的に取り付けて飾ることを可能とし、さらに額縁に立体物を収納することができるとともに、収納された立体物を外部から鑑賞可能とするなど、多様な利用形態に資する額縁用裏蓋を提供することを目的とする。
また、既存の額縁に対しても利用することが可能な額縁用裏蓋を提供することを目的とする。
【課題を解決するための手段】
【０００９】
請求項１記載の考案は枠状部（フレーム）と、該枠状部に入れ子（ライナー）を介して、若しくは該枠状部に直接嵌め込まれた透光性材料からなる透明体とを具備する額縁のうち、前記枠状部の背面に脱着自在に設けられた裏板を含む額縁用裏蓋であって、前記裏板には、壁面設置用の取付片が、長手方向及び短手方向のうち、少なくとも一方向側に設けられていることを特徴としている。
【００１０】
請求項２記載の考案は、上記１項において、前記裏板には、壁面設置時に壁面に対して当接する突片が少なくとも一つ設けられていることを特徴としている。
【００１１】
請求項３記載の考案は、上記１項又は２項において、前記裏板には、内部空間を有する収容部が設けられ、該収容部は立体物を収納可能な奥行寸法を有するとともに前記裏板には窓部が穿設され、前記収容部に収納された立体物を、該窓部及び前記透明体を通して外部から視認可能であることを特徴としている。
【００１２】
請求項４記載の考案は、上記１〜３項のうち、何れか１項において、前記裏板は、内部に空間を有する箱体を備えて構成され、該箱体は立体物を収納可能な奥行寸法を有するとともに前記裏板には窓部が穿設され、前記箱体内部に収納された立体物を、該窓部及び前記透明体を通して外部から視認可能であることを特徴としている。
【００１３】
請求項５記載の考案は、上記１〜３項のうち、何れか１項において、前記裏板は、内部に空間を有する箱体を備えて構成され、該箱体は立体物を収納可能な奥行寸法を有するとともに前記裏板には窓部が穿設され、該箱体の内部には、該箱体内部を仕切る収納空間部が設置されているとともに、該収納空間部は前記窓部と連通し、前記収納空間部に収納された立体物を、該窓部及び前記透明体を通して外部から視認可能であることを特徴としている。
【００１４】
請求項６記載の考案は、上記３〜５項のうち、何れか１項において、前記枠状部と裏板との間には、台紙が介在され、該台紙には前記窓部と対応する位置に連通孔が形成され、前記収容部又は前記収納空間部に収納された立体物を、該窓部、連通孔及び前記透明体を通して外部から視認可能であることを特徴としている。
【考案の効果】
【００１５】
本考案によれば、額縁を壁面に取り付けて飾る場合に、壁面に対して平行な状態で取り付けることが可能となり、吊紐などによることなく安定的に設置することができる。
【００１６】
また、額縁に対し、写真等の平面的なもの他、立体的な小物などを収納することができるとともに、且つ、収納されている小物類を外部から視認することが可能である。これによって、額縁の機能性を向上させることができ、多様な使用方法に対応することができる。
【図面の簡単な説明】
【００１７】
【図１】本考案に係る額縁用裏蓋の第１の実施形態を示し、当該額縁用裏蓋が使用されている額縁の背面側を示した概略斜視図である。
【図２】同じく、本考案に係る額縁用裏蓋の第１の実施形態を示し、図１に示される額縁を壁面に取り付けた状態を示す側断面図である。
【図３】本考案に係る額縁用裏蓋の第２の実施形態を示し、当該額縁用裏蓋における額縁に対する利用状態を示す概略斜視図である。
【図４】同じく、本考案に係る額縁用裏蓋の第２の実施形態を示し、図３における額縁用裏蓋を背面側から視た概略斜視図である。
【図５】同じく、本考案に係る額縁用裏蓋の第２の実施形態の背面図である。
【図６】同じく、本考案に係る額縁用裏蓋の第２の実施形態を示し、図５のＶＩ−ＶＩ線に沿った矢視断面図である。
【図７】同じく、本考案に係る額縁用裏蓋の第２の実施形態を示し、図６における要部拡大断面図である。
【図８】本考案に係る額縁用裏蓋の第３の実施形態を示し、当該額縁用裏蓋の背面図である。
【図９】同じく、本考案に係る額縁用裏蓋の第３の実施形態を示し、図８のＩＸ−ＩＸ線に沿った矢視断面図である。
【図１０】同じく、本考案に係る額縁用裏蓋の第３の実施形態を示し、図９における要部拡大断面図である。
【図１１】同じく、本考案に係る額縁用裏蓋の第３の実施形態の額縁用裏蓋における変形例を示した背面図である。
【図１２】本考案に係る額縁用裏蓋の第４の実施形態を示した概略斜視図である。
【図１３】同じく、本考案に係る額縁用裏蓋の第４の実施形態を示し、図１２における額縁用裏蓋を背面側から視た概略斜視図である。
【図１４】同じく、本考案に係る額縁用裏蓋の第４の実施形態を示し、額縁用裏蓋の箱体を閉塞する蓋部を開放した状態を示す概略斜視図である。
【図１５】本考案に係る額縁用裏蓋の第５の実施形態を示した概略斜視図である。
【考案を実施するための最良の形態】
【００１８】
以下、本考案に係る額縁用裏蓋の好適な実施形態について、添付図面を参照して説明する。図１は本考案に係る額縁用裏蓋の第１の実施形態が使用されている額縁の背面側を示した概略斜視図、図２は図１に示される額縁を壁面に取り付けた状態を示す側断面図である。これらの図に示されるように、第１の実施形態に係る額縁用裏蓋１は、裏板２と、取付片３と、突片４とを備えて構成されている。
【００１９】
裏板２は、既存の額縁の裏蓋と交換して使用することが可能な形状に形成され、その短手方向に取付片３が設けられている。本実施形態の額縁用裏蓋１が取り付けられる額縁６は、枠状部（フレーム）１２と、入れ子（ライナー）１４と、透明体１６と、いわゆるトンボ２４等と具備している。
【００２０】
取付片３は鉤状の係止部３Ａを備え、この係止部３Ａにネジ５又はフックなどの壁面に固定された取付部材によって、額縁６を壁面に取り付けて飾ることができるようになっている。裏板２の中央下部付近には、突片４が設けられており、図２に示されるように、額縁６の壁面への取付の際、突片４を壁面に接触させて壁面と一定の間隔を保持するようにする。これによって、額縁６は壁面に対し、ほぼ平行な状態を保持して飾られることになる。
【００２１】
取付片３に係合するネジ５は、水平な状態で壁面に固定された２本のネジ（図２では１つのみ図示）を用いることにより、額縁６全体を水平に保持することができる。
また、２本のネジを用いることは、取付片３の係止部３Ａが、２本のネジ５と係合可能な範囲内で、横方向にスライドさせることにより、額縁６の取付位置を微調整して飾ることができる。
【００２２】
以上説明した第１の実施形態の額縁用裏蓋によれば、額縁６を壁面に飾る場合に、壁面に対して平行な状態で取り付けることが可能となる。これにより、耐震性が向上するとともに、地震発生時における額縁６の揺れ、落下事故等を未然に防止することが可能となる。また、吊紐が不要となるので、装飾性の向上に寄与する。
【００２３】
なお、第１の実施形態における額縁用裏蓋１では、壁面取付用の取付片３は、短手方向にのみ設けているが、これに限らず、長手方向のみに設ける、或いは短手方向に加え、長手方向にも予め設けておくことも可能である。これによれば、額縁６を縦位置の他、横位置として壁面に取り付けて飾ることができる。また、額縁用裏蓋１では、壁面取付用の取付片３について、裏板２に設置しているが、これに限らず、枠状部１２に設置することも可能である。
【００２４】
図３は本考案に係る額縁用裏蓋の第２の実施形態を示し、額縁に対する利用状態を示す概略斜視図、図４は図３における額縁用裏蓋を背面側から視た概略斜視図、図５は背面図、図６は図５のＶＩ−ＶＩ線に沿った矢視断面図、図７は図６における要部拡大断面図である。図３及び図４に示される額縁１０は、枠状部（フレーム）１２と、入れ子（ライナー）１４と、透明体１６と、額縁用裏蓋１８等とを具備して構成されている。
【００２５】
枠状部１２は額縁１０の本体をなし、平面視矩形に形成されている。枠状部１２の内側には入れ子（ライナー）１４が取り付けられており、枠状部１２には入れ子１４を介し、ガラスやアクリルなどの透光性を有する透明体１６が嵌め込まれている。透明体１６は、内部に収納された写真等を保護するとともに、外部から鑑賞することができるようにしている。なお、入れ子１４は、額縁の種類によっては省略されていることもあり、その場合は枠状部１２の内側に直接透明体１６が嵌め込まれている。
【００２６】
写真等は、額縁用裏蓋１８との間に台紙１９を挟み込むようにして内部に額装され、この台紙１９には中央に窓を備えたマット紙などの中性紙が使用され、このマット紙は、ある程度の厚みを有し、透明体１６と写真等とが直接触れないようにする他、内側の窓の角部には、斜め方向のＶカットなどが施され、装飾的な意味合いも兼ね備えている。一方で、この台紙１９は、額縁の用途や種類によっては省略されている場合がある。
【００２７】
本実施形態における額縁用裏蓋１８は、裏板２０と、箱体２２等とからなり、裏板２０は、いわゆるトンボ２４，２４・・と呼ばれる部品によって、枠状部１２の背面側に固定されている。裏板２０は、内部に空間を有する箱体２２を備えて構成され、この箱体２２は立体物を収納可能な所定の奥行寸法を有しているとともに、背面側の開口部には開き戸２５が図示しないヒンジによって取り付けられ、箱体２２に対し開閉自在になっている。
【００２８】
図４に示されるように、箱体２２の内部には、その内部を裏板２０に対して垂直方向に仕切るパイプ状の収納空間部２６Ａ，２６Ｂが設置されている。また、図３及び図４に示されるように、裏板２０には窓部２０Ａ，２０Ｂが穿設され、これらの窓部２０Ａ，２０Ｂには収納空間部２６Ａ，２６Ｂが面している。
【００２９】
さらに、台紙１９には、裏板２０における窓部２０Ａ，２０Ｂ、並びに、箱体２２内の収納空間部２６Ａ，２６Ｂと対応する位置に、連通孔１９Ａ，１９Ｂが形成されている。箱体２２の収納空間部２６Ａ，２６Ｂに収納された小物類は、透明体１６、台紙１９の連通孔１９Ａ，１９Ｂ、並びに裏板２０の窓部２０Ａ，２０Ｂを通して外部から視認することが可能となる。
【００３０】
収納空間部２６Ａ，２６Ｂには、例えば、額縁の場合、写真や絵画と関連のある品物などを収納しておくことができ、且つ外部から常に収納物を鑑賞することができることから、日常生活の上で、大きな楽しみや励みを付与することとなる。また、収納空間部２６Ａ，２６Ｂは、その大きさを自由に設定することができ、例えば装飾品の大きさに応じ、最適な容量とすることによって多様なニーズに対応することができる。
【００３１】
また、図４及び図５に示されるように、箱体２２の上部並びに側部には、取付片２８Ａ，２８Ｂが、長手方向並びに短手方向に沿って設けられており、これらの各取付片２８Ａ，２８Ｂには長孔３０Ａ，３０Ｂが穿設されている。額縁１０を壁面に取り付ける場合には、図７に示されるように、壁面に取り付けた２本のネジ３２（図中では１本のみ図示）を利用して、ネジ３２を長孔３０Ａ，３０Ｂのうち所望の長孔に係止させることによって、額縁１０を縦位置若しくは横位置となるように取り付け固定することができる。
【００３２】
以上の第２の実施形態によれば、吊紐によることなく額縁の箱体２２の背面部を壁面に密着させて、壁面に対して額縁を平行な状態で安定的に取り付けることが可能である。さらに、各取付片２８Ａ，２８Ｂにおける長孔３０Ａ，３０Ｂの範囲内にて横方向にスライドさせて、任意の位置で額縁を壁面に取り付けて飾ることができる。
【００３３】
また、ネジ３２を２本使用して取り付けているが、それらの２本のネジ３２について、その両者が水平となるように壁面に取り付けることにより、額縁１０を壁面に対し水平を保持した状態で安定的に設置することができる。
さらに、額縁には立体物を収納することができ、且つ収納された立体物を外部から鑑賞することが可能となる。
【００３４】
なお、以上の第２の実施形態では、収納空間部２６Ａ，２６Ｂのみを左右に設けているが、これに限らず、箱体２２の内部を数か所の空間に仕切ることによって、多種多様な物品を収納することが可能となる。これによれば、額縁１０に写真等の他、記念となる立体的な小物類など、多様な物品を収納しておくことができる。
【００３５】
また、長孔３０Ａ，３０Ｂ内側に、波状の凹凸部を連続的に設けておけば、壁面へ固定する際に当該凹凸部にネジを係止して取り付けることが可能となり、額縁全体のずれを防止しつつ、安定した状態で額縁１０を壁面に固定することができる。
【００３６】
図８は本考案に係る額縁用裏蓋の第３の実施形態を示し、当該額縁用裏蓋を背面側から視た背面図、図９は図８のＩＸ−ＩＸ線に沿った矢視断面図、図１０は図９における要部拡大断面図である。ここで、前述した第２の実施形態と同様な部材については同一の符号を付し、その詳細な説明を省略する。
【００３７】
前述した第２の実施形態における裏板２０に取り付けられている箱体２２が比較的大きめであるのに対し、第３の実施形態における額縁４０の額縁用裏蓋４１では小型の箱体４２が額縁用裏蓋４１を構成する裏板４３に取り付けられている点で相違している。
【００３８】
図８〜１０に示されるように、箱体４２の上部には、長孔４４が穿設されており、この長孔４４を利用して、額縁４０を壁面に取り付けた２本のネジ３２（図中では１本のみ図示）に係止させるようになっている。また、裏板４３の下部に突片４６Ａ，４６Ｂが取り付けられ、壁面に取り付けたときに、これらの突片４６Ａ，４６Ｂが、箱体４２とともに、壁面に当接して密着し、額縁４０全体をガタツキなく、壁面に固定することができるようになっている。
【００３９】
以上説明したように、第３の実施形態の額縁用裏蓋４１によれば、既存の額縁についても、裏蓋のみを本実施形態の額縁用裏蓋４１へ交換することにより、立体物を収納することが可能となる。
【００４０】
なお、第３の実施形態では、裏板４３の下部に突片４６Ａ，４６Ｂは、左右に一対設置しているが、これに限らず、図１１に示されるように、裏板４３の下部中央付近に一つの突片４８を取り付けておいてもよい。これによれば、箱体４２の背面部分を壁面に接触させつつ、一つの突片４８を壁面と接触させて、額縁４０を壁面に対し平行に保持した状態で取り付けることが可能となる。
【００４１】
次いで、本考案に係る額縁用裏蓋の第４の実施形態について説明する。
図１２は本考案に係る額縁用裏蓋の第４の実施形態を示した概略斜視図、図１３は図１２における額縁用裏蓋を背面側から視た概略斜視図である。これらの図に示されるように、前述した第２の実施形態における額縁１０では、左右一対の窓部２０Ａ，２０Ｂを設置したが、第４の実施形態における額縁５０では、一つの窓部５２が設けられていること、背面側に設置されている箱体５４に、鉤状の係止部を備えた取付片５６Ａ，５６Ｂが設けられている点などが相違している。
【００４２】
額縁用裏蓋５３の裏板５１に設けられた箱体５４には、鉤状の取付片５６Ａ，５６Ｂが長手方向及び短手方向に沿って取り付けられている。そして、額縁５０全体を壁面へ固定する場合には、これらの取付片５６Ａ，５６Ｂに対し、壁面に取り付けた２本のネジを係止させる、若しくは当該取付片５６Ａ，５６Ｂの形状に適した係合部を有する金物類などを利用することにより、額縁５０を壁面に固定することが可能となる。この際、箱体５４の背面部の周囲が、壁面に対して密着する状態となる。
【００４３】
図１４に示されるように、箱体５４には、上方向にスライドさせて開放可能な蓋部５８が配設されており、箱体５４の内部に物品を収納することができるようになっている。また、箱体５４の隅部には収納空間部６０が設置され、この収納空間部６０は、額縁用裏蓋５３の窓部５２に面して連通している。
【００４４】
さらに、台紙６２には、連通孔６２Ａが形成され、この連通孔６２Ａは、台紙６２上にて、窓部５２並びに収納空間部６０と対応する位置に形成されている。これによって、収納空間部６０に収納された小物類は、透明体１６、台紙６２の連通孔６２Ａ、並びに額縁用裏蓋５３の窓部５２を通して、外部から視認することが可能になっている。
【００４５】
前述のように構成した第４の実施形態によれば、取付片５６Ａ，５６Ｂとして、横方向又は縦方向に長さのある取付片５６Ａ，５６Ｂを使用しているので、壁面に固定する際の自由度が向上しているとともに、額縁５０本体を壁面に対して平行となるように取り付けて飾ることが可能である。
【００４６】
図１５は本考案に係る額縁用裏蓋の第５の実施形態を示した概略斜視図である。
同図に示される額縁用裏蓋７０は、前述した第４の実施形態では比較的大きめな箱体５４を備えているのに対し、裏板７１は小形の箱体７２を具備している点、並びに、箱体７２とは独立して形成された収容部７４が、裏板７１の下部側に設けられている点で相違している。
【００４７】
図１５に示されるように、箱体７２には、横方向にスライド可能な蓋部７５が配設されており、同図の一点鎖線に示すように、横開き式に開放することができるようになっている。また、箱体７２の上部には、短手方向に取付片５６Ａが設置されている。
【００４８】
図１５中、箱体７２の左下隅部には収容部７４が設置され、この収容部７４は、上部が開放されており、この開放部分から小箱７６を挿入しておくことができるようになっている。小箱７６としては透明なケースなどが利用可能である。
【００４９】
また、前述した図１２における額縁５０と同様に、図示しない台紙並びに裏板７１には、窓部及び連通孔が、収容部７４と対応する位置に形成されており、収容部７４に収納された小箱７６を外部から視認することができるようになっている。つまり、透明なケースを小箱７６として使用することによって小箱７６内に収容されている小物類を外部から鑑賞することが可能となっている。
【００５０】
さらに、箱体７２の下部中央部には、突片７８が突設されている。額縁８０を壁面に取り付ける際は、前述した第１の実施形態における額縁６と同様に、取付片５６Ａ及び突片７８によって、壁面に対し平行に取り付けて飾ることが可能である。
【産業上の利用可能性】
【００５１】
以上説明したように、本考案によれば、額縁を壁面に飾る場合に、壁面に対して平行な状態で取り付けることが可能であり、壁面取付時における装飾性並びに安定性が向上する。また、額縁に平面的な写真等の他、立体的な形状を有する小物類を収納することができるとともに、収納された立体物を外部から鑑賞可能とし、多様な利用形態に資する。
【符号の説明】
【００５２】
１        額縁用裏蓋
２        裏板
３        取付片
３Ａ      係止部
４        突片
５        ネジ
６        額縁
１０      額縁
１２      枠状部（フレーム）
１４      入れ子（ライナー）
１６      透明体
１８      額縁用裏蓋
１９      台紙
１９Ａ  １９Ｂ  連通孔
２０      裏板
２０Ａ  ２０Ｂ  窓部
２２      箱体
２４      トンボ
２５      開き戸
２６Ａ  ２６Ｂ  収納空間部
２８Ａ  ２８Ｂ  取付片
３０Ａ  ３０Ｂ  長孔
３２      ネジ
４０      額縁
４１      額縁用裏蓋
４２      箱体
４３      裏板
４４      長孔
４６Ａ  ４６Ｂ  ４８  突片
５０      額縁
５１      裏板
５２      窓部
５３      額縁用裏蓋
５４      箱体
５６Ａ  ５６Ｂ  取付片
５８      蓋部
６０      収納空間部
６２      台紙
６２Ａ    連通孔
７０      額縁用裏蓋
７２      箱体
７４      収容部
７５      蓋部
７６      小箱
７８      突片
８０      額縁
【図１】
0003179704.tif 000003
【図２】
0003179704.tif 000004
【図３】
0003179704.tif 000005
【図４】
0003179704.tif 000006
【図５】
0003179704.tif 000007
【図６】
0003179704.tif 000008
【図７】
0003179704.tif 000009
【図８】
0003179704.tif 000010
【図９】
0003179704.tif 000011
【図１０】
0003179704.tif 000012
【図１１】
0003179704.tif 000013
【図１２】
0003179704.tif 000014
【図１３】
0003179704.tif 000015
【図１４】
0003179704.tif 000016
【図１５】
0003179704.tif 000017